(57)【要約】      （修正有）【課題】種々の被取付体の形状がそれぞれ異なる被取付個所の形状に細かく対応し、種々の被取付体に設置できるようにした増設タオル掛け兼用棚を提供する。【解決手段】基軸大径バー１１およびそれぞれの片端が側枠１３ａ、１３ｂで繋がれた２本の伸縮小径バー１２ａ、１２ｂを基軸大径バー１１の両端から装入して擦動可能に構成された伸縮自在な複数本のバーと、タオル掛け等のバー１と壁面等３の間に装入する場合にタオル掛け等のバー１に当接掛止する部分と壁面等３に当接する背当てリブ２２ａ、２２ａ′、２２ｂ、２２ｂ′を有する一対の略楔形状の取付ブラケット２１ａ、２１ｂおよび、本発明を懸吊する、被取付体の形状がそれぞれ異なる被取付個所の形状に合わせることができるように２ヵ所の角のうち一方は略直角の形状とし、他方は角をアールに形成された略コの字型の一対の丸角対応フック３１ａ、３１ｂを備えている。【選択図】  図１
2007090016.tif 000002
【特許請求の範囲】
【請求項１】
基軸大径バーおよびそれぞれの片端が側枠で繋がれた２本の伸縮小径バーを基軸大径バーの両端から装入して擦動可能に構成された伸縮自在な複数本のバーと、タオル掛け等のバーと壁面等の間に装入する場合に、タオル掛け等のバーに当接掛止する部分と壁面等に当接する背当てリブを有する一対の略楔形状の取付ブラケットおよび、本発明を懸吊する、被取付体の形状がそれぞれ異なる被取付個所の形状に合わせることができるように２ヵ所の角のうち一方は略直角の形状とし、他方は角をアールに形成された略コの字型の一対の丸角対応フックを備えていることを特徴とした増設タオル掛け兼用棚およびその使用方法。
【請求項２】
請求項１において一対の略楔形状の取付ブラケットを既設のタオル掛け等のバーに設置する場合、一対の略楔形状の取付ブラケット間の幅をタオル掛け等のバーの長さに合わせて調整し、タオル掛け等のバーと壁面等の間に装入すると、自重で下方に押し込まれ、略楔形状の取付ブラケットの背当てリブを含む幅がタオル掛け等のバーと壁面等との間の幅と一致した地点でタオル掛け等のバーの壁面等側の側面に重心が掛かるので、当接掛止し、同時に壁面等にも背当てが接地するため、タオル掛け等のバーと壁面等の間隔が任意であってもタオル掛け等のバーは本発明の全体の重量を受け止めることができるので、安定的に設置することができ、既設のタオル掛け等のバーの両端を支持する一対の支持部材よりも両側に自在に延長して張り出させて壁面等に対して安定した状態を保持させることができるため、既設のタオル掛け等のバーの長さを越えて長くした状態で使用することができ、長さの調節も自在にできることを特徴とした増設タオル掛け兼用棚およびその使用方法。
【請求項３】
請求項１および請求項２において、一対の略楔形状の取付ブラケットによりタオル掛け等のバーと壁面等の両方に接して設置するとき、接地位置が略楔形状の取付ブラケットの狭い一端に浅くしか接地できない場合、すなわち、タオル掛け等のバーと壁面等の間の幅が狭く、複数本の基軸大径バーおよび伸縮小径バーで構成されるバーの平面がバランスを保ちにくい位置となった場合には、フック伸縮回転ポールを伸ばして重心を下げたり、必要に応じて丸角対応フックに重量物を懸吊してバランスを取り、安定させて設置できることを特徴とした増設タオル掛け兼用棚およびその使用方法。
【請求項４】
請求項１および請求項３において、請求項２および請求項３のように一対の略楔形状の取付ブラケットをタオル掛け等のバー等と壁面等に装入する場合と天地を逆にして丸角対応フックを自在に回転伸縮させ、接地する被取付体の形状がそれぞれ異なる被取付個所の形状に合わせて懸吊して設置することもできることを特徴とした増設タオル掛け兼用棚およびその使用方法。
【請求項５】
請求項１、請求項３および請求項４において、丸角対応フックに替えて、丸角対応可動フックとし、丸角対応軸を介して丸角対応リブを設置したことを特徴とした増設タオル掛け兼用棚およびその使用方法。
【請求項６】
請求項１、請求項２、請求項３、請求項４、および請求項５において、一対の略楔形状の取付ブラケットに持ち手孔が穿設されており、設置作業が容易であることを特徴とした増設タオル掛け兼用棚およびその使用方法。
【請求項７】
請求項１、請求項２、請求項３、請求項４、請求項５、および請求項６において、丸角対応フックを一般的な形状の丸いフックに丸角対応リブと略同様な形状の部材を必要に応じて嵌着したことを特徴とした増設タオル掛け兼用棚およびその使用方法。
【請求項８】
請求項１、請求項２、請求項３、請求項４、請求項５、および請求項６において、丸角対応フックを一般的な形状の四角いフックに丸いフックと略同様な形状の部材を必要に応じて嵌着したことを特徴とした増設タオル掛け兼用棚およびその使用方法。
【発明の詳細な説明】
【技術分野】  本発明は伸縮自在な複数本のバーと一対の略楔形状の取付ブラケット２１ａ、２１ｂおよび、本発明を懸吊する対象に合わせることのできる一対の丸角対応フック３１ａ、３１ｂにより構成され、種々の被取付体の形状がそれぞれ異なる被取付個所の形状に細かく対応し、既設のタオル掛け等のバー１、物干し等の任意に設置されたバー４、ドア５あるいは長押６等、種々の被取付体に設置できるようにすることを特徴とした増設タオル掛け兼用棚に関するものである。
【背景技術】
【０００１】  濡れたバスタオルを室内で乾かす場合、バスタオルは通常のタオルよりも幅が広く、壁面に取り付けてある一般的なタオル掛けでは広げて掛けることができない。そのため、折った状態で掛けることとなり、迅速な乾燥を阻害する要因となっていた。幅の広い、専用のタオル掛けを増設するには、一般的に取付用の金具や、工具を使う必要があり、壁面が傷んでしまう。そもそも増設するほどの壁面がないことも多い。【０００２】  また、濡れたバスタオルを室内で乾かす場所は、一般的に浴室に隣接した脱衣所、洗面所等であるが、そういった場所には、石鹸、シャンプー等、こまごまとした備品があり、これを整理する棚が必要である。ない場合や、足りない場合はタオル掛けと同様に、一般的に取付用の金具や、工具を使って取り付けたり、増設したりする必要があり、どこでも手軽に棚を設置することは困難であった。【０００３】  これらの課題を解決するため、タオル掛けに関しては、専用のスタンド型タオル掛けが考案されている（特許文献１参照）。このスタンド型タオル掛けは、数枚のタオルを掛けることができ、不使用時には折り畳み可能である。【０００４】  しかしながら、スタンド型タオル掛けは、タオル掛けのバーを折り畳んでも、脚部はそのままのため、床面の場所を取るので、狭い場所では邪魔になり扱いにくい。また、設置場所が限定されるため応用が効かず、スペースや既設の器具等を有効に活用することができない。【０００５】  そこで、タオル掛けのバーに追加して使用する器具（特許文献２参照）や、任意に設置されたバー、ドアあるいは長押に懸吊するタオル掛けも知られている。【０００６】  しかしながら、タオル掛けのバーに追加して使用する器具はバーの幅が限定されるため、幅の広いバスタオルは掛けられない場合があり、また、設置場所もタオル掛けのバーのみであり、設置する方法も限定される。【０００７】  タオル掛けのバーに追加して使用する器具でバーの幅に限定されず増設されるバーの長さを伸縮自在とした増設型のタオル掛けも知られている（実案文献３参照）が、設置には背面に壁面を必要とするため、設置場所はタオル掛けのバーのように背面に壁面のある場所に設置されたバーのみに限定される。
【特許文献１】特開２００４−１３５８０５号公報
【特許文献２】特開２００１−２９９６３１号公報
【実用新案文献３】
実登３１１１９８４号公報
【０００８】  また、その他のドアや長押に懸吊したり、物干し等の任意に設置されたバーに懸吊したりできるタオル掛けは、幅の広いバスタオルに対応できるよう、幅が広くなっているものもあるが、バーだけ、あるいはドアだけに掛けられるというように、設置場所や設置方法が限定される。
【０００９】  更に、屋外で干す場合も、物干し等の任意に設置されたバーに直接掛けるか、洗濯ハンガーに掛けて干していたが、一般に洗濯物を干す場合はバスタオルだけではないので、物干し等のバーに直接掛れば場所を取り、他の洗濯物を干すスペースがなくなる。
【００１０】  洗濯ハンガーを使う場合も同様に他の洗濯物を干すスペースを奪ってしまう。また、タオルを細かくピンチで留めなければならず、わずらわしかった。
【００１１】  棚にっては、種々の被取付体に取付用の金具や、工具を使わずに簡単に取り付けることができる棚はなく、その開発が待たれていた。
【００１２】  無論、タオル掛けと棚を兼用できる器具はなかった。
【００１３】  また、設置にフックを用いる場合、設置箇所の形状の断面が丸であったり、角であったりするため、フックの形状によっては使用できない場合もあった。
【発明の開示】
【発明が解決しようとする課題】
【００１４】  従来、設置された種々の被取付体に取り付ける器具で、フックとの接地面が丸い場合、あるいは角の場合のどちらにも取付用の金具や工具を使わずに設置することのできるフックを有する増設タオル掛け兼用棚はなかった。【００１５】  また、一対の略楔形状の取付ブラケットを有することにより、既設のタオル掛け等に取付用の金具や工具を使わずに安定的に設置できる増設タオル掛け兼用棚はなかった。【００１６】  更に、乾かすタオルの大きさや乗せるものに合わせて、大きさを変更できる増設タオル掛け兼用棚はなかった。【００１７】  本発明が解決しようとする課題はこれらの機能を併せ持つことによって、さまざまな被取付体に簡単に設置できることによりスペースや既設の器具等を有効に活用し、使用者の利便に資するための、増設タオル掛け兼用棚を提供することである。【００１８】  本発明において前記ならびにその他の目的と新規な特徴は次の説明を添付図面と照らし合わせて読むと、より完全に明らかとなるであろう。ただし、図面はもっぱら解説のためのものであって、本発明の技術的範囲を限定するものではない。
【課題を解決するための手段】
【００１９】  これらの課題を解決するため、本発明は基軸大径バー１１およびそれぞれの片端が側枠１３ａ、１３ｂで繋がれた２本の伸縮小径バー１２ａ、１２ｂを基軸大径バー１１の両端から装入して擦動可能に構成された伸縮自在な複数本のバーと、タオル掛け等のバー１と壁面等３の間に装入する場合にタオル掛け等のバー１に当接掛止する部分と壁面等３に当接する背当てリブ２２ａ、２２ａ′、２２ｂ、２２ｂ′を有する一対の略楔形状の取付ブラケット２１ａ、２１ｂおよび、本発明を懸吊する、被取付体の形状がそれぞれ異なる被取付個所の形状に合わせることができるように２ヵ所の角のうち一方は略直角の形状とし、他方は角をアールに形成された略コの字型の一対の丸角対応フック３１ａ、３１ｂを備えていることを特徴としている。【００２０】  上記の構成の増設タオル掛け兼用棚によれば、一対の略楔形状の取付ブラケット２１ａ、２１ｂを既設のタオル掛け等のバー１に設置する場合、一対の略楔形状の取付ブラケット２１ａ、２１ｂ間の幅をタオル掛け等のバー１の長さに合わせて調整し、タオル掛け等のバー１と壁面等３の間に装入すると、自重で下方に押し込まれ、略楔形状の取付ブラケット２１ａ、２１ｂの背当てリブ２２ａ′、２２ｂ、２２ｂ′を含む幅がタオル掛け等のバー１と壁面等３との間の幅と一致した地点でタオル掛け等のバー１の壁面等３側の側面に重心が掛かるので、当接掛止し、同時に壁面等３にも背当てリブ２２ａ′、２２ｂ、２２ｂ′が接地するため、タオル掛け等のバー１と壁面等３の間隔が任意であってもタオル掛け等のバー１は本発明の全体の重量を受け止めることができるので、安定的に設置することができ、既設のタオル掛け等のバー１の両端を支持する一対の支持部材２ａ、２ｂよりも両側に自在に延長して張り出させて壁面等３に対して安定した状態を保持させることができるため、既設のタオル掛け等のバー１の長さを越えて長くした状態で使用することができ、長さの調節も自在にできる。【００２１】  更に、本発明は一対の略楔形状の取付ブラケット２１ａ、２１ｂをタオル掛け等のバー１と壁面等３に装入する場合と天地を逆にして一対の丸角対応フック３１ａ、３１ｂを接地する被取付体の形状がそれぞれ異なる被取付個所の形状に合わせて懸吊して設置することもできる。【００２２】  また本発明は、基軸大径バー１１およびそれぞれの片端が側枠１３ａ、１３ｂで繋がれた２本の伸縮小径バー１２ａ、１２ｂを基軸大径バー１１の両端から装入して擦動可能に構成された伸縮自在な複数本のバーと、タオル掛け等のバー１と壁面等３の間に装入する場合にタオル掛け等のバー１に当接掛止する部分と壁面等３に当接する背当てリブ２２ａ、２２ｂを有する一対の略楔形状の取付ブラケット２１ａ、２１ｂおよび、本発明を懸吊する、被取付体の形状がそれぞれ異なる被取付個所の形状に合わせることができるように丸角対応可動フック４１ａ、４１ｂに丸角対応軸４３ａ、４３ｂを介して丸角対応リブ４２ａ、４２ｂを設置して構成した一対のフックを備えていることを特徴としている。【００２３】  上記の構成の増設タオル掛け兼用棚によれば、一対の略楔形状の取付ブラケット２１ａ、２１ｂをタオル掛け等のバー１と壁面等３��装入する場合と天地を逆にして一対の丸角対応可動フック４１ａ、４１ｂ内の形状を変化させて、接地する被取付体の形状がそれぞれ異なる被取付個所の形状に合わせて懸吊して設置することもできる。
【発明の効果】
【００２４】  以上の説明から明らかなように、本発明にあっては次に列挙する効果が得られる。
（１）今まで利用されていない空間を有効に活用し、新たな活用スペースを提供することができる。
特にタオル掛け等のバー１を設置している場所においては、バーの上方に今まで利用されていない空間があり、有効に活用できるスペースとして期待できる。【００２５】（２）既設のタオル掛け等のバー１に取付用の金具や、工具を使わずに簡単に取り付けることができ、必要に応じて簡単に外して別の場所に設置することができる。
この際、一対の略楔形状の取付ブラケット２１ａ、２１ｂには持ち手孔２３ａ、２３ｂが穿設されており、設置作業も容易である。【００２６】（３）既設のタオル掛け等のバー１に設置する場合、本発明を設置してもタオル掛けとして従来通りに使用することが可能である。【００２７】（４）既設のタオル掛け等のバー１に設置する場合は、一対の略楔形状の取付ブラケット２１ａ、２１ｂにより、既設のタオル掛け等のバー１と壁面等３との間隔が任意であっても安定的に設置することができる。【００２８】（５）既設のタオル掛け等のバー１に設置する場合は、略楔形状の取付ブラケット２１ａ、２１ｂを使用する他、丸角対応フック３１ａ、３１ｂにより懸吊して設置することも可能であり、状況に応じた選択ができる。【００２９】（６）既設のタオル掛け等のバー１に設置する場合、本発明を２つ用意し、一方は略楔形状の取付ブラケット２１ａ、２１ｂにより設置し、他方は丸角対応フック３１ａ、３１ｂによって懸吊して設置することにより、本発明を２つ取付けることが可能である。
この場合、両方をタオル掛けとして、あるいは両方を棚として、もしくは一方を棚とし、もう一方をタオル掛けとして使用する等、多様な利用方法が可能である。【００３０】（７）掛けるタオルの幅にあわせてバーの長さを伸縮できるので、幅の広いバスタオルでも使用可能である。【００３１】（８）既設のタオル掛け等のバー１の他、物干し等の任意に設置されたバー４、ドア５あるいは長押６等、設置可能な被取付体が多種多様である。【００３２】（９）一対の丸角対応フック３１ａ、３１ｂは被取付体の被取付箇所の断面が丸いバーでも、ドア５や長押６のように角のあるところにも懸吊して設置することが可能である。【００３３】（１０）フック伸縮回転ポール３２ａ、３２ｂが伸縮するので、一対の丸角対応フック３１ａ、３１ｂで懸吊して設置した場合、使いやすい高さに調節して設置することが可能である。【００３４】（１１）フック伸縮回転ポール３２ａ、３２ｂは回転して向きを任意にすることできるので、物干し等の任意に設置されたバー４に懸吊する場合に一対の丸角対応フック３１ａ、３１ｂ同士を向かい合わせて設置することにより不意の落下を防止することができる。【００３５】（１２）被取付体の被取付箇所が段違いであっても、左右のフック伸縮回転ポール３２ａ、３２ｂの長さをそれぞれ任意に調節することにより設置することが可能である。
【発明を実施するための最良の形態】
【００３６】  以下、図面に示す発明を実施するための最良の形態により、本発明を詳細に説明する。【００３７】  一対の略楔形状の取付ブラケット２１ａ、２１ｂの広く形成されている一端の端部に基軸大径バー１１の外径に合わせた、少なくとも２ヵ所以上の孔を穿ち、少なくとも２本以上の基軸大径バー１１を装入する。一対の略楔形状の取付ブラケット２１ａ、２１ｂは被取付体に合わせて一対の略楔形状の取付ブラケット２１ａ、２１ｂ間の幅をタオル掛け等のバー１の長さに合わせて調整が可能である。【００３８】  一対の略楔形状の取付ブラケット２１ａ、２１ｂの背にはタオル掛け等のバー１に設置した時に壁面等３に直近のバーが、壁面等３に接することなく有効に使用できるように背当てリブ２２ａ、２２ａ′、２２ｂ、２２ｂ′を設ける。【００３９】  略楔形状の取付ブラケット２１ａ、２１ｂは一端が広く、他端に至るに従って狭くなるように形成されており、壁面等３とタオル掛け等のバー１の間に装入することによって、自重で下方に押し込まれ、略楔形状の取付ブラケット２１ａ、２１ｂの背当てリブ２２ａ、２２ａ′、２２ｂ、２２ｂ′を含む幅がタオル掛け等のバー１と壁面等３との間の幅と一致した地点でタオル掛け等のバー１の壁面等３側の側面に重心が掛かるので、当接掛止し、同時に壁面等３にも背当てリブ２２ａ、２２ａ′、２２ｂ、２２ｂ′が接地するため、タオル掛け等のバー１と壁面等３との間隔が任意であってもタオル掛け等のバー１は本発明の全体の重量を受け止めることができるので、安定的に設置することができる。【００４０】  複数本の中空の基軸大径バー１１の内径に合わせた外径の伸縮小径バー１２ａ、１２ｂを基軸大径バー１１の両端から内部に装入して擦動可能にし、伸縮小径バー１２ａ、１２ｂを基軸大径バー１１の両端より左右に張り出すことにより伸縮するよう構成し、伸縮小径バー１２ａ、１２ｂの片端を側枠１３ａ、１３ｂにより支持する。
複数本のバーの左右の長さを均等にしてバー固定ネジ１４ａ、１４ｂで固定できるように伸縮小径バー１２ａ、１２ｂにバー調整用マーク１５ａ、１５ｂを設ける。【００４１】  略楔形状の取付ブラケット２１ａ、２１ｂにはフック伸縮回転ポール３２ａ、３２ｂ用の孔を穿設置して回転自在なフック伸縮回転ポール３２ａ、３２ｂを装入する。【００４２】  丸角対応フック３１ａ、３１ｂはフック伸縮回転ポール３２ａ、３２ｂに接続し、その形状は、略コの字型で、２ヵ所の角のうち一方は略直角の形状とし、他方は角をアールに形成する。【００４３】  略楔形状の取付ブラケット２１ａ、２１ｂには必要に応じて吸盤、ビス、釘およびＬ字フック等を使用するための繋止用孔２４ａ、２４ａ′、２４ｂ、２４ｂ′を穿設する。【００４４】  略楔形状の取付ブラケット２１ａ、２１ｂには設置作業を容易にするため、持ち手孔２３を穿設する。【００４５】  略楔形状の取付ブラケット２１ａ、２１ｂに設置されているフック伸縮回転ポール３２ａ、３２ｂは略楔形状の取付ブラケット２１ａ、２１ｂに穿設されたフック伸縮回転ポール３２ａ、３２ｂ用の孔に擦動可能に装入され、伸縮回転自在に構成して、フック伸縮回転固定ネジ３３ａ、３３ｂにより任意の長さおよび向きに固定できるようにフック伸縮回転ポール３２ａ、３２ｂにはポール調整マーク３４ａ、３４ｂを、略楔形状の取り付けブラケット２１ａ、２１ｂに穿設されたフック伸縮回転ポール３２ａ、３２ｂ用の孔の周りにはポール回転用マーク３５ａ、３５ｂを設ける。【００４６】  本発明の略楔形状の取付ブラケット２１ａ、２１ｂや丸角対応フック３１ａ、３１ｂを用いて、タオル掛け兼用棚として使用している複数本のバーを板状にしたり、網状のボードを構成したりして増設棚や増設ボード、増設籠等を形成すれば、増設棚や増設ボード、増設籠等も本発明と同様に既存のタオル掛け等のバー１、物干し等の任意に設置されたバー４、ドア５あるいは長押６等の種々の被取付体に簡単に取り付けて使用することができ、その応用範囲は広い。【００４７】  本発明を実施するための最良の第１の形態では、より使用者の利便に供するよう略楔形状の取付ブラケット２１ａ、２１ｂには手で握れるよう持ち手孔２３ａ、２３ｂを穿設している。勿論、このことが本発明の技術的範囲を限定するものではないことは言うまでもない。【００４８】  また、略楔形状の取付ブラケット２１ａ、２１ｂには必要に応じて吸盤、ビス、釘およびＬ字フック等を使用するための繋止用孔２４ａ、２４ａ′、２４ｂ、２４ｂ′を穿設している。勿論、このことが本発明の技術的範囲を限定するものではないことも言うまでもない。【００４９】  略楔形状の取付ブラケット２１ａ、２１ｂが壁面等３とタオル掛け等のバー１に安定的に設置することができるのであれ装飾を施すことも可能である。勿論、このことが本発明の技術的範囲を限定するものではないことも言うまでもない。【００５０】  次に本発明の使用方法について詳細に説明する。【００５１】  既設のタオル掛け等のバー１に設置する場合は、丸角対応フック３１ａ、３１ｂの向きが背面の壁面等３に当たらないことを確認して、一対の略楔形状の取付ブラケット２１ａ、２１ｂ間の幅をタオ��掛け等のバー１の長さに合わせて調整し、一対の略楔形状の取付ブラケット２１ａ、２１ｂをタオル掛け等のバー１と壁面等３の間に装入する。伸縮小径バー１２ａ、１２ｂを、バー調整用マーク１５ａ、１５ｂを目印に、基軸大径バー１１から引き伸ばし、左右の長さを均等にしてバー固定ネジ１４ａ、１４ｂで固定する。タオルを掛ける基軸大径バー１１および伸縮小径バー１２のａ、１２ｂ位置は既存のタオル掛け等のバー１よりも上方に設置される。【００５２】  本発明の一対の略楔形状の取付ブラケット２１ａ、２１ｂをタオル掛け等のバー１と壁面等３の間に装入することによって、自重で下方に押し込まれ、略楔形状の取付ブラケット２１ａ、２１ｂの背当てリブ２２ａ、２２ｂを含む幅がタオル掛け等のバー１と壁面等３との間の幅と一致した地点でタオル掛け等のバー１の壁面等の側面に重心が掛かるので、当接掛止し、同時に壁面等３にも背当てリブ２２ａ、２２ｂが接地するため、タオル掛け等のバー１と壁面等３の間隔が任意であってもタオル掛け等のバー１は本発明の全体の重量を受け止めることができるので、安定的に設置することができ、既設のタオル掛け等のバー１の両端を支持する一対の支持部材２ａ、２ｂよりも両側に自在に延長して張り出させて壁面等３に対して安定した状態を保持させることができるため、既設のタオル掛け等バー１の長さを越えて長くした状態で使用することができ、長さの調節も自在にできる。【００５３】  一対の略楔形状の取付ブラケット２１ａ、２１ｂによりタオル掛け等のバー１と壁面等３の両方に接して設置するとき、接地位置が略楔形状の取付ブラケット２１のａ、２１ｂ狭い一端に浅くしか接地できない場合、すなわち、タオル掛け等のバー１と壁面等３との間の幅が狭く、複数本の基軸大径バー１１および伸縮小径バー１２ａ、１２ｂで構成されるバーの平面がバランスを保ちにくい位置となった場合には、フック伸縮回転ポール３２ａ、３２ｂを伸ばして重心を下げたり、必要に応じて丸角対応フック３１ａ、３１ｂに重量物を懸吊してバランスを取り、安定させることもできる。【００５４】  既設のタオル掛け等のバー１の上方にスペースがない場合やタオル掛け等のバー１と壁面等３の間の幅が一対の略楔形状の取付ブラケット２１ａ、２１ｂを差し込めないほど狭い場合、もしくは差し込めても重心位置が悪く、バランスが取れない場合は、本発明を、一対の略楔形状の取付ブラケット２１ａ、２１ｂをタオル掛け等のバー１と壁面等３の間に装入する場合とは天地を逆にして丸角対応フック３１ａ、３１ｂを自在に回転伸縮させ、既設のタオル掛け等のバー１の断面の形状に合わせ、懸吊して設置する。【００５５】  本発明を物干し等の任意に設置されたバー４、ドア５あるいは長押６等、種々の被取付体に設置する場合は、本発明を、一対の略楔形状の取付ブラケット２１ａ、２１ｂをタオル掛け等のバー１と壁面等３に装入する場合と天地を逆にして一対の丸角対応フック３１ａ、３１ｂを自在に回転伸縮させ、被取付体の形状がそれぞれ異なる被取付個所の形状に合わせて懸吊して設置する。
この場合、不意の落下を防止するため、一対の丸角対応フック３１ａ、３１ｂ同士を向かい合わせに設置しても良い。【００５６】  設置する位置により、略楔形状の取付ブラケット２１ａ、２１ｂに設置されているフック伸縮回転ポール３２ａ、３２ｂの長さおよび丸角対応フック３１ａ、３１ｂの向きを調節し、設けたポール調整用マーク３４ａ、３４ｂおよびポール回転マーク３５ａ、３５ｂを目印に調節し、フック伸縮回転固定ネジ３３ａ、３３ｂにより任意の長さで固定する。【００５７】  略楔形状の取付ブラケット２１ａ、２１ｂには基軸大径バー１１の外径に合わせた少なくとも２ヵ所以上の孔が穿設されているので、どの基軸大径バー１１でも擦動可能に装入することができる。必要に応じて、例えば、略中央に位置する基軸大径バー１１に装入し、一対の略楔形状の取付ブラケット２１ａ、２１ｂを挟んで両側からタオルを掛けたり、背後に壁面等３が無くても水平に懸吊出来るように設置して棚として使用することも可能である。【００５８】  基軸大径バー１１と一対の伸縮小径バー１２ａ、１２ｂで構成された複数本のバーを設置する間隔は任意で良いが、増設棚として専用に使用する場合は、設置する間隔を狭める方が、より小さな備品を安置できる。
【他の実施例】
【００５９】  次に本発明を実施するための異なる形態につき説明する。なお、これらの本発明を実施するための異なる形態の説明にあたって前記本発明を実施するための最良の形態と同一構成部分には同一符号を付して重複する説明を省略する。
【００６０】  前記本発明を実施するための最良の形態における一対の丸角対応フック３１ａ、３１ｂを、丸角対応軸４３ａ、４３ｂを介して丸角対応リブ４２ａ、４２ｂを設置して丸角対応ダボ４４ａ、４４ａ′、４４ｂ、４４ｂ′により一対の丸角対応可動フック４１ａ、４１ｂに嵌着保持されるよう構成したフックとする。
【００６１】  この場合のフック形状は懸吊する被取付体の形状により安定的に保持するため、丸型を基本とし、丸角対応軸４３ａ、４３ｂ有する丸角対応リブ４２ａ、４２ｂにより丸角対応可動フック４１ａ、４１ｂ内の形状を変化させることができる。
【００６２】  任意に設置されたバー４のように被取付体の被取付個所の断面が丸いものに懸吊する場合は、丸角対応可動フック４１ａ、４１ｂの丸角対応軸４３ａ、４３ｂを介して設けられている丸角対応リブ４２ａ、４２ｂを丸角対応可動フック４１ａ、４１ｂの上方に跳ね上げて懸吊して設置する。
【００６３】  ドア５や長押６等のように被取付体の被取付個所の断面が角のものに懸吊する場合は、丸角対応可動フック４１ａ、４１ｂの丸角対応軸４３ａ、４３ｂを介して設けられている丸角対応リブ４２ａ、４２ｂをフックの内側に丸角対応ダボ４４ａ、４４ａ′、４４ｂ、４４ｂ′により嵌着保持し、被取付体の被取付個所と接する面を平らにして懸吊し、設置する。
【００６４】  他の実施例において丸角対応可動フック４１ａ、４１ｂは丸角対応軸４３ａ、４３ｂを有する丸角対応リブ４２ａ、４２ｂにより設置する面が丸でも角でも対応できるようになっているが、逆に四角いフックに一般的な形状の丸いフック形状のリブを丸角対応軸４３ａ、４３ｂにより設置しても良い。勿論、このことが本発明の技術的範囲を限定するものではないことは言うまでもない。
【００６５】  また、一般的な形状の丸いフックに丸角対応リブ４２ａ、４２ｂと略同様な形状の部材を必要に応じて嵌着しても良い。逆に一般的な形状の四角いフックに丸いフックと略同様な形状の部材を必要に応じて嵌着しても同様の効果を得ることが出来る。勿論、これらのことが本発明の技術的範囲を限定するものではないことは言うまでもない。
【産業上の利用可能性】
【００６６】  以上のように本発明は、基軸大径バー１１および伸縮小径バー１２ａ、１２ｂにより構成される伸縮自在な複数本のバーと一対の略楔形状の取付ブラケット２１ａ、２１ｂおよび、本発明を懸吊する対象に合わせることのできる丸角対応フック３１ａ、３１ｂにより構成され、種々の被取付体の形状がそれぞれ異なる被取付個所の形状に細かく対応し、既設のタオル掛け等のバー１、物干し等の任意に設置されたバー４、ドア５あるいは長押６等、種々の被取付体に設置できるようにすることを特徴とした増設タオル掛け兼用棚に関するものであり、構造が簡単で廉価に提供できると共に、多様な設置方法が可能で、かつ、多用途に活用でき、使用上極めて好都合である等、幾多の産業的効果を奏するものである。
【図面の簡単な説明】
【００６７】
【図１】本発明を実施するための最良の第１の形態の斜視図
【図１−Ａ】図１における略楔形状の取付ブラケット２１とフック伸縮回転ポール３２の嵌合部分の拡大斜視図
【図１−Ｂ】図１における基軸大径バー１１と伸縮小径バー１２の嵌合部分の拡大斜視図
【図２】本発明を実施するための最良の第１の形態のタオル掛けのバー１に設置している状態の斜視図
【図３】本発明を実施するための最良の第１の形態のタオル掛け等のバー１に略楔形状の取り付けブラケット２１を差し込んで設置している状態の側面図
【図４】本発明を実施するための最良の第１の形態のタオル掛け等のバー１に懸吊して設置する場合の側面図
【図５】本発明を実施するための最良の第１の形態の断面が丸い、任意に設置されたバー４に設置した場合の側面図
【図６】本発明を実施するための最良の第１の形態のドア５に設置した場合の側面図
【図７】本発明を実施するための最良の第１の形態の長押６に設置した場合の側面図
【図８】本発明を実施するためのその他の実施例における丸角対応可動フック４１を断面が丸い任意に設置されたバー４に懸吊する場合の側面図
【図９】本発明を実施するためのその他の実施例における丸角対応可動フック４１を断面が角のドア５に懸吊する場合の側面図
【符号の説明】
【００６８】１、は、タオル掛け等のバー
２、は、支持部材
３、は、壁面等
４、は、任意に設置されたバー
５、は、ドア
６、は、長押
１１、は基軸大径バー
１２、は、伸縮小径バー
１３、は、側枠
１４、は、バー固定ネジ
１５、は、バー調整用マーク
２１、は、取付ブラケット
２２、は、背当てリブ
２３、は、持ち手孔
２４、は、繋止用孔
３１、は、丸角対応フック
３２、は、フック伸縮回転ポール
３３、は、フック伸縮回転固定ネジ
３４、は、ポール調整用マーク
３５、は、ポール回転用マーク
４１、は、丸角対応可動フック
４２、は、丸角対応リブ
４３、は、丸角対応軸
４４、は、丸角対応ダボ
【図１】
2007090016.tif 000003
【図１−Ａ】
2007090016.tif 000004
【図１−Ｂ】
2007090016.tif 000005
【図２】
2007090016.tif 000006
【図３】
2007090016.tif 000007
【図４】
2007090016.tif 000008
【図５】
2007090016.tif 000009
【図６】
2007090016.tif 000010
【図７】
2007090016.tif 000011
【図８】
2007090016.tif 000012
【図９】
2007090016.tif 000013